(57)【特許請求の範囲】
【請求項１】
少なくとも透明な表層と不透明な内層とからなる多層構造を有し、基材の一部に情報記憶部が設けられたカードの発行処理方法であって、
カード使用者を特定することができる情報を前記情報記憶部に記憶しておき、前記情報記憶部に記憶されたカード使用者を特定することができる情報を読み取って、前記表層上からレーザー光を照射することにより前記内層に前記カード使用者を特定することができる情報を記録し発行することを特徴とするカードの発行処理方法。
【請求項２】
前記情報記憶部がＩＣメモリであることを特徴とする請求項１記載のカードの発行処理方法。
【請求項３】
前記表層または前記内層がポリカーボネート又はポリエチレンテレフタレート又はポリカーボネートとポリエチレンテレフタレートとのポリマーアロイからなることを特徴とする請求項１記載のカードの発行処理方法。
【発明の詳細な説明】
【０００１】
【発明の属する技術分野】
本発明は、例えば、カード使用者名、カード使用者を特定する番号等のカード固有の情報を、レーザー光を照射することにより表示し発行するカードの発行処理方法に関する。
【０００２】
【従来の技術】
従来、クレジット会社や銀行等のカード発行者が、クレジットカードやキャッシュカード等のカードを顧客であるカード使用者に対して発行する場合、あらかじめそれぞれのカード発行者における共通の情報やデザインを印刷表示した共通カードをまず製造した後、カード使用者毎の固有情報に基づいて、例えばカード使用者の氏名、会員番号やＩＤ番号などのカード使用者の特定番号、またはカード有効期限等のカード毎に異なる可能性のあるカード固有の情報をカードにエンボス加工したり、熱転写による箔押し加工を施したりすることにより表示し発行していた。
【０００３】
しかしながら、カードにエンボス加工を行うと、少なからずカード基材に反りが発生するため、特にエンボス加工による反りが発生しやすい材質のカードを使用した場合や、カードへのエンボス加工の文字数が比較的多い場合には、定められたカード規格に適応しなくなる危険性があったり、また反りの影響でカードリーダーに挿入できないなどの不具合が生じる恐れもある。
また、エンボス加工は、カード基材の一部を塑性変形させて凹凸状態にして文字が突出するように打刻するので、例えば、炎天下における自動車の車内のような高温環境下に長時間置かれた場合には、突出した文字が元の平らな状態に徐々に戻ってしまい、カード規格に適応しなくなったり、伝票等にインプリントできなくなるなどの不都合が生じる危険性もある。
なお且つ、エンボス加工は、文字を打刻し直すことが比較的容易であり、巧妙にカード使用者毎に異なるカード個有の情報が改ざんされた場合に、改ざんカードと見破られずに使用される危険性がある。
【０００４】
一方、熱転写による箔押し加工では、転写した文字の一部を削り取ったり、文字を書き加えるなどすることでカード固有の情報を改ざんすることが容易に行えるため、セキュリティ上問題がある。しかも、長期間使用したカードでは、転写した箔が剥がれやすく耐久性に問題があった。
【０００５】
【発明が解決しようとする課題】
本発明は上記のような従来技術の問題点に鑑みてなされたものであり、その目的は、カード使用者毎に異なるカード固有の情報を簡単に改ざんすることができない状態でカードに表示することで、改ざんによる不正使用等の行為を防止し、しかもその表示に際して、カード基材へ悪影響を及ぼすことなく表示し発行することができるカードの発行処理方法を提供する。
また、情報記憶部が設けられたカードに記憶する情報の少なくとも一部をカードに表示する場合、記憶情報と表示情報との整合性のとれたカードを作製し発行することができるカードの発行処理方法を提供する。
【０００６】
【課題を解決するための手段】
本発明のカードの発行処理方法は、少なくとも透明な表層と不透明な内層とからなる多層構造を有し、基材の一部に情報記憶部が設けられたカードの発行処理方法であって、カード使用者を特定することができる情報を前記情報記憶部に記憶しておき、前記情報記憶部に記憶されたカード使用者を特定することができる情報を読み取って、前記表層上からレーザー光を照射することにより前記内層に前記カード使用者を特定することができる情報を記録し発行することを特徴とする。
【０００７】
上記において、前記情報記憶部がＩＣメモリであるようにすることができる。
【０００８】
更に、本発明は、前記表層または前記内層がポリカーボネート又はポリエチレンテレフタレート又はポリカーボネートとポリエチレンテレフタレートとのポリマーアロイからなるようにすることができる。
【００１１】
【発明の実施の形態】
以下、本発明の実施の形態を図面に基づいて詳細に説明する。
図１は、レーザー光を照射する前の状態を示すカードの断面図、図２は、レーザー光を照射してカード固有の情報をカードに表示する状態を示す断面図、図３は、レーザー光を照射してカード固有の情報をカードに表示した状態を示す断面図、図４は、本発明の方法によりカード固有の情報を表示したカードの表面側の平面図、図５は、本発明の方法によりカード固有の情報を表示したカードの裏面側の平面図、図６は、本発明の実施の形態の概略構成を示すブロック図、図７は、本発明の他の実施の形態の概略構成を示すブロック図である。
【００１２】
本発明に用いるカード１のカード基材２は、図１に示すように、少なくとも透明な表層３ａ，３ｂおよび不透明な内層４からなる多層構造を有し、不透明な内層４を挟んでその上下に透明な表層３ａ，３ｂが積層されている。
そして、カードには、あらかじめ不透明な内層４の表裏面に、例えばカードの名称、カード発行者名、注意事項等のカード共通の情報表示や、マークや絵柄デザイン等の発行するカードに共通の表示を印刷５しておく。
【００１３】
カード基材２に使用する透明な表層３ａ，３ｂおよび不透明な内層４には、塩化ビニルの他に、シート状あるいは板状の、ナイロン、セルロースジアセテート、セルローストリアセテート、ポリエステル、ポリスチレン、ポリエチレン、ポリプロピレン、ポリエステルンポリイミド、ポリカーボネート、ポリエチレンテレフタレート等やポリカーボネートとポリエチレンテレフタレートとのポリマーアロイ等のプラスチック類を単体または組合わせて複合体として用いることができる。
そして、カード基材として要求される物性たとえば強度、剛性などを考慮して、上記材料の中から好ましいものを適宜選択すれば良いが、特にレーザー光に対する熱の影響を考慮し耐熱性に優れたポリカーボネート又はポリエチレンテレフタレート又はポリカーボネートとポリエチレンテレフタレートとのポリマーアロイを使用することがより好ましい。
【００１４】
本発明に用いるカードがＩＣカードの場合には、カード基材２にザグリ加工等により凹部６が形成されていて、凹部６の内部に情報記憶部であるＩＣメモリを有するＩＣチップ７を備えたＩＣモジュール８が装着されている。
ＩＣチップ７のＩＣメモリには、カードを発行処理する際にカード使用者を特定することができる情報等のカード固有の情報も記憶できるようになっている。カード使用者を特定することができる情報としては、例えばカード使用者名、カード使用者毎に定めた番号などがある。このカード使用者を特定することができる情報の他、カード有効期限等の情報もカード発行に際してカード毎に個々に定める場合があり、これらをカード固有の情報として必要に応じてＩＣメモリに記憶する。
また、カード使用者毎に定めた番号とは、発行するカードの種類により様々な名前の番号があり、例えば会員番号、ＩＤ番号、社員番号、学生番号等、そのいずれもその番号によりカード使用者を特定することができるものである。
【００１５】
また、ＩＣチップ７を有するＩＣモジュール８と共に磁気ストライプ９をカード基材２に設けてもよく、また、本発明に用いるカードが磁気カードの場合には、情報記憶部として磁気ストライプ９だけをカード基材２に設けてもよい。
カード固有の情報は、ＩＣチップ７のメモリに限らず、磁気ストライプ９に記憶させるようにしてもよく、その他の情報記憶部を用いてもよい。
しかしながら、カードの情報記憶部に記憶する情報量が多い場合には、ＩＣメモリを有するＩＣチップをカードに設けることが好ましい。
【００１６】
本発明においては、あらかじめカード共通の情報表示や、マークや絵柄デザイン等のカード共通の表示を印刷５した共通カードを製造しておき、カード使用者が具体的に決まった後に、各々のカード使用者を特定することができる情報等に基づいてカード固有の情報を表示して発行するものである。
そして、カード固有の情報をカードに表示する際には、図２に示すように、レーザー光をカード基材の透明な表層上から照射して、図３に示すようなカード基材の内層にカード固有の情報を表示したカードを作製する。
レーザー光をカード基材の透明な表層上から照射すると、レーザー光は透明な表層を透過してカード基材の不透明な内層上にマーキング１２を施すことができる。
この不透明な内層上にマーキング１２することで、各々のカード使用者を特定することができる情報等のカード固有の情報を表示して発行することができる。
【００１７】
また、本発明に使用するレーザー光は、連続光よりもパルス光であることが望ましい。
連続光のレーザー光は、一定時間の間、常に同じ出力を保っている光であるが、これに対してパルス光は、ごくわずかな時間の間のみ高出力を有する光であるため、熱が基材などに蓄積しないため、その部分での変形や変質等のダメージを起こさずにデザイン加工や文字の描写などを行うことができるものである。
その結果、レーザー光の出力など安定にレーザー加工を行うことが可能な条件を広く設定することができるので、レーザー光の出力変動などの影響を受けずに安定した加工を行うことができる。
【００１８】
また、本発明に使用するパルスレーザー光としては、ＣＷのレーザー光を外部変調器でその出力を制御する方法、また、Ｑスイッチをレーザー共振器内に挿入しＱスイッチのスイッチングによってレーザー媒質に蓄積されたエネルギーを瞬時に出力させる方法がある。
前者のレーザーの具体例としてアルゴンレーザーやＨｅ−Ｎｅレーザー、ＹＡＧレーザー、半導体レーザーなどがあり、外部変調器としてメカニカルシャッター、Ａ／Ｏ変調素子、Ｅ／Ｏ変調素子などをＱスイッチとして挿入し、共振器のＱ値をコントロールすることにより数十ナノから数百ナノ秒の時間幅のパルス光を発生させることができる。
従って、レーザー光光源１３から発生したレーザー光１０は、対物レンズ１１によりカード基材の内層表面に集光させ、 内層表面をマーキング１２し、図３及び図５に示すカード固有の情報が表示されたカードを作製して発行する。
【００１９】
次に、図６に基づいて情報記憶部を有するカードに対する本発明のカードの発行処理方法の実施形態について説明する。
まず、記憶手段１４に、カード使用者名、カード使用者毎に定めた番号等のカード使用者を特定することができる情報をあらかじめ記憶しておく。
そして、制御手段１５により情報を制御して、記憶手段１４に記憶されたカード使用者を特定することができる情報をＩＣ書き込み手段１６を介してカード１のＩＣメモリに記憶させる。
一方、カード１のＩＣメモリに記憶させたのと同じ情報を制御手段１５によりレーザー照射手段１７に送り、カード１のあらかじめ定めた位置にレーザーを照射し、カード基材の内層表面にレーザーを集光させることでカード基材の内層にカード使用者を特定することができる情報を表示する。
【００２０】
従って、記憶手段１４に記憶されたカード使用者を特定することができる同一の情報を用いて、その情報をカード１のＩＣメモリに記憶させると共にレーザー照射手段１７によりカード基材の内層表面に表示するので、ＩＣメモリへの記憶情報とカードへの表示情報とに整合性がとれ、間違えることがない。
また、レーザー照射手段１７によりカードに表示する情報は、ＩＣメモリへの記憶した情報の少なくとも一部でもよく、記憶手段１４に記憶された同一の情報を用いていればよい。
【００２１】
次に、図７に基づいて情報記憶部を有するカードに対する本発明のカードの発行処理方法の他の実施形態について説明する。
まず、記憶手段１４に、カード使用者名、カード使用者毎に定めた番号等のカード使用者を特定することができる情報をあらかじめ記憶しておく。
そして、制御手段１５により情報を制御して、記憶手段１４に記憶されたカード使用者を特定することができる情報をＩＣ書き込み手段１６を介してカード１のＩＣメモリに記憶させる。
次に、ＩＣ読み取り手段１８によりＩＣメモリに記憶させた情報を読み取り、読み取った情報を制御手段１５によりレーザー照射手段１７に送り、カード１のあらかじめ定めた位置にレーザー光を照射し、カード基材２の内層４表面にレーザー光を集光させることでカード基材２の内層４にカード使用者を特定することができる情報を表示する。
【００２２】
従って、記憶手段１４に記憶されたカード使用者を特定することができる情報を用いて、その情報をカード１のＩＣメモリに記憶させた後、再度ＩＣメモリに記憶させた情報を読み取ってレーザー照射手段１７によりカード基材２の内層４表面に表示するので、ＩＣメモリに記憶させた情報とカードへの表示情報とに整合性がとれ、間違えることがない。
また、レーザー照射手段１７によりカードに表示する情報は、ＩＣメモリへの記憶した情報の少なくとも一部でもよく、記憶手段１４に記憶された同一の情報を用いていればよい。
【００２３】
【実施例】
以下に、本発明の具体的な実施例について説明する。
不透明な内層４であるポリカーボネートからなる厚さ０.７ｍｍの白色コアシートの表裏に絵柄を印刷５した後、その白色コアシートを挟んで、透明な表層３であるポリカーボネートからなる厚さ０. ０５ｍｍの透明オーバーシートを重ね合わせてプレス機に載置し、熱板温度１７０℃、圧力２．４５ＭＰａで３０分間かけてラミネートした。
次に、ラミネートしたシートをカードの大きさに打ち抜いて１枚毎のカードにした後、図４及び図５に示すように、カードの表面にホログラム１９を転写し、またカードの裏面にサインパネル２０を転写した。
その後、カードの表面側に座ぐり加工を行って凹部６を形成し、その凹部６にＩＣモジュール８を装着して厚さ０. ７８ｍｍのＩＣカードを製造した。
【００２４】
次に、カード発行者から預かったカード使用者を特定することができる情報を含むカード使用者の個人データが記憶された磁気テープ等の記憶手段１４から、個々のカード使用者を特定することができる情報を制御手段１５により制御してＩＣ書き込み手段１６を介してカード１のＩＣメモリに記憶させた。
次に、ＩＣ読み取り手段１８によりＩＣメモリに記憶させた情報を読み取り、読み取った情報を制御手段１５によりレーザー照射手段１７に送り、カード１のあらかじめ定めた位置にレーザー光を照射し、カード基材の内層表面にレーザー光を集光させ、カード使用者の氏名１２ａ、会員番号１２ｂをカードの表面側にマーキングして表示し、またカードの裏面側にカードの有効期限１２ｃをマーキングして表示した。
【００２５】
上記により出来上がったカードは、車内の高温環境下で長時間保管しても、規格や機能上の不具合を発生することがなかった。
しかも、カードに表示した文字は、透明オーバーシートで保護されているので文字の一部を削りとって改ざんしようとしたところ、 透明オーバーシートの破損により不正行為が行われたことが目視により判別することが判った。
【００２６】
【発明の効果】
以上説明したように、請求項１に記載した発明によれば、情報記憶部が設けられたカードに記憶する情報の少なくとも一部をカードに表示する場合において、情報記憶部に情報を記憶させる時と、情報記憶部に記憶させた情報の少なくとも一部をカードに表示する時との間に時間が経っても、レーザー光の照射する際に情報記憶部に記憶された情報を読み取ってカードに表示するので、カードの記憶情報と表示情報との間に整合性のとれたカードを作製し発行することができる。
【００２７】
請求項３に記載した発明によれば、カード基材の表層または内層に特に耐熱性に優れたポリカーボネート又はポリエチレンテレフタレート又はポリカーボネートとポリエチレンテレフタレートとのポリマーアロイを使用しているので、レーザー光を照射してもカード基材へ悪影響を及ぼすことがない。
【００３１】
【図面の簡単な説明】
【図１】レーザー光を照射する前の状態を示すカードの断面図である。
【図２】レーザー光を照射してカード固有の情報をカードに表示する状態を示す断面図である。
【図３】レーザー光を照射してカード固有の情報をカードに表示した状態を示す断面図である。
【図４】本発明の方法によりカード固有の情報を表示したカードの表面側の平面図である。
【図５】本発明の方法によりカード固有の情報を表示したカードの裏面側の平面図である。
【図６】本発明の実施の形態の概略構成を示すブロック図である。
【図７】本発明の他の実施の形態の概略構成を示すブロック図である。
【符号の説明】
１  カード
２  カード基材
３ａ，３ｂ  透明な表層
４  不透明な内層
５  印刷
６  凹部
７  ＩＣチップ
８  ＩＣモジュール
９  磁気ストライプ
１０  レーザー光
１１  対物レンズ
１２  マーキング
１３  レーザー光光源
１４  記憶手段
１５  制御手段
１６  ＩＣ書き込み手段
１７  レーザー照射手段
１８  ＩＣ読み取り手段
１９  ホログラム
２０  サインパネル
【図１】
0004303846.tif 000002
【図２】
0004303846.tif 000003
【図３】
0004303846.tif 000004
【図４】
0004303846.tif 000005
【図５】
0004303846.tif 000006
【図６】
0004303846.tif 000007
【図７】
0004303846.tif 000008